(57)【要約】【課題】本発明は前述の整髪の問題を解決するためのものであり、携帯し易い大きさで毛髪に対する加熱成形加工まで可能な携帯用整髪装置を提供することを目的とする。【解決手段】持ち手を兼ねるケース部と、ピボット動作を通じて上記ケース部に挿入されたり、上記ケース部から広げて使うことができる整髪部を備え、整髪部には毛髪に熱を加える伝熱部が設けられ、ケース部には電源が設けられることを特徴とする携帯用折り畳み式整髪装置が開示される。この時、整髪部はケースから広げられる時にのみ伝熱部が電源から電力の供給を受けることができるようにヒンジ部近くに回転動作スイッチを有することができる。【選択図】  図１
2011161201.tif 000002
【特許請求の範囲】
【請求項１】
持ち手を兼ねるケース部と、
ピボット動作を通じて上記ケース部に挿入されたり、上記ケース部から広げて使うことができる整髪部を備え、
上記整髪部は毛髪に熱を加える熱板を備え、上記ケース部は上記熱板の電源として電池を備えることを特徴とする携帯用折り畳み式アイロン。
【請求項２】
上記整髪部は上記ケース部に着脱可能に結合されることを特徴とする請求項１に記載の携帯用折り畳み式アイロン。
【請求項３】
上記整髪部は、複数の機能部からなり、上記機能部は必要に応じて上記ケース部に互いに交替されるようになることを特徴とする請求項２に記載の携帯用折り畳み式アイロン。
【請求項４】
上記整髪部は複数からなり、上記複数がともに上記ケース部に並列に結合されることを特徴とする請求項１または請求項２に記載の携帯用折り畳み式アイロン。
【請求項５】
上記整髪部が上記ケースから出て広げられる時にのみ上記熱板が上記電源から電力の供給を受けることができるように、上記整髪部と上記ケースをピボット可能に連結するヒンジ部周辺に、上記整髪部の導電接点と上記ケース部の導電接点位置が互いに接触するように対応して設けられた回転動作スイッチが備えられることを特徴とする請求項１に記載の携帯用折り畳み式アイロン。
【請求項６】
上記整髪部は櫛を備え、上記櫛は端部が互いに離隔した状態で一方向に配列された複数の櫛歯と、上記複数の櫛歯の互いに離隔した端部の反対側端部に連結されて上記複数の櫛歯を互いにまとめる櫛背を有し、
上記櫛背には熱板が備えられることを特徴とする請求項１に記載の携帯用折り畳み式アイロン。
【請求項７】
上記整髪部は上記櫛背と対向して、上記櫛とは共通のヒンジを中心に互いにピボット動作して互いに近くなったり離れたりする櫛背カバーをさらに備えることを特徴とする請求項６に記載の携帯用折り畳み式アイロン。
【請求項８】
上記櫛背カバーの内側面には上記櫛背の熱板と対向するように別途の熱板が形成されることを特徴とする請求項７に記載の携帯用折り畳み式アイロン。
【請求項９】
上記整髪部は櫛の櫛歯に対応する形態の加熱部を有する熱板を備えてなることを特徴とする請求項１に記載の携帯用折り畳み式アイロン。
【請求項１０】
上記整髪部は互いにピボット動作が可能となるように共通のヒンジで結合された2つの部分からなり、上記2つの部分のうち少なくとも1つには上記2つの部分が対向する側面に熱板を有することを特徴とする請求項１に記載の携帯用折り畳み式アイロン。
【発明の詳細な説明】
【技術分野】
【０００１】
本発明は携帯用整髪装置に関し、より詳細には、携帯用として髪の手入れをすることができるように折り畳み式アイロンを備えた携帯用整髪装置に関する。
【背景技術】
【０００２】
一般的に、ヘアーアイロンとは毛髪に熱を加えて多様なヘアスタイルを形成可能にする装置であって、一般の美容院や家庭で髪をセットする器具として広く使われている。
【０００３】
ところが、戸外で生活してみると髪が崩れることがあり、特に、旅行や野外活動が普遍化した生活の中で、髪が崩れたりヘアスタイルを整えなければならない必要が生じることがある。
【０００４】
ヘアスタイルは女性の美容において重要な部分であって、時と場所によって常に変化を追い求め、美的感覚を充分に発揮する手段として活用されている点を考慮すると、整髪及びヘアースタイルの変化に使われる道具を携帯できることが好ましい。
【０００５】
一方、濡れた髪、絡まった髪またはくせ毛などをとかす時は、櫛のみを使用するのでは不便な点が多い。従って、毛髪を手入れする方法にはヘアードライヤーのように高温の熱風を加えながら櫛で毛髪を手入れする方法が利用される。このような場合、一方の手にはドライヤーを、もう一方の手には櫛を持って使わなければならないが、両手を使わなければならないので、所望の部位に所望のスタイルを形成することは容易ではない。また、整髪してウェーブを形成したりストレートにするためには、一対のヒンジ結合された持ち手の先端内側面に伝熱板が設けられたヘアーアイロンが利用される。
【０００６】
しかし、従来の場合、かかる形態の整髪のためには、櫛とともに電源に連結して使うヘアードライヤー及びヘアーアイロンを携帯しなければならないが、かさばったり重量が重く、外部電源が必要で実質的な携帯性がないという問題点がある。また、これら装置が別々に構成されているので、その使用が煩雑で不便であるという問題点がある。
【発明の概要】
【発明が解決しようとする課題】
【０００７】
本発明は前述の整髪の問題を解決するためのものであり、携帯し易い大きさで毛髪に対する加熱成形加工まで可能な携帯用整髪装置を提供することを目的とする。
【課題を解決するための手段】
【０００８】
上記目的を達成するための本発明の携帯用折り畳み式整髪装置は、持ち手を兼ねるケース部と、ピボット動作を通じて上記ケース部に挿入されたり、上記ケース部から広げて使うことができる整髪部を備え、上記整髪部には毛髪に熱を加える伝熱部が設けられ、上記ケース部には電源が設けられることを特徴とする。
【０００９】
本発明で整髪部は整髪機能がある装置であって、上記ケース部に着脱可能に装着することができる。
【００１０】
本発明で整髪部は上記ケースから広げられる時にのみ上記伝熱部が上記電源から電力の供給を受けることができるように、ヒンジ部周辺に回転動作スイッチを有することができる。
【００１１】
本発明で整髪部は櫛とアイロンを備えてなる。この時、櫛は櫛歯の末端が互いに離隔した櫛歯辺と櫛歯が櫛背によって結合された櫛背辺を有する。即ち、櫛は端部が互いに離隔した状態で一方向に配列された複数の櫛歯と、該複数の櫛歯の互いに離隔した端部の反対側端部に連結されて複数の櫛歯を互いにまとめる櫛背を有する。アイロンの1つの熱板は櫛背辺に設けることができる。
【００１２】
本発明で櫛背と対向して、櫛背の熱板とはヒンジ及びスプリング構造を通じて互いにピボット動作によって互いに触れたり離れる櫛背カバーを備えることができる。櫛背カバーの内側面には櫛背の熱板と対向するように別途の熱板を形成することもできる。
【００１３】
本発明で整髪部は櫛と、櫛の櫛歯と類似する形態の加熱部を有する熱板を備えてなる。この時、熱板の形態は一側(加熱部)が櫛の櫛歯とともに分けられて、この分けられた部分(加熱部)が櫛歯に対応して設けられ、櫛をとかすと櫛歯の間で毛髪に熱板の加熱部も触れて熱を伝達するようになる。
【００１４】
本発明で整髪部はアイロンのみで構成することもできる。この時にはアイロンが2つの部分からなり、2つの部分はケースとの結合をなすヒンジ部でヒンジとスプリング構造によってピボット動作をしながら互いに触れたり離れるようになる。これら2つの部分の互いに対向する内側辺には熱板が1つずつ設けられ、熱板の間に毛髪を挟み、熱板が毛髪に沿って滑りながら毛髪を加工可能にすることができる。
【発明の効果】
【００１５】
本発明によれば、伝熱部が設けられる整髪部をケースから容易に畳んだり広げたりしながら大きさをコンパクトにして所持し易く、使用も簡便になる。
【図面の簡単な説明】
【００１６】
【図１】本発明の一実施例を示す斜視図である。
【図２】図1の実施例のケース部を示す分解斜視図である。
【図３】図1の実施例の整髪部を示す分解斜視図である。
【図４】本発明の他の実施例を示す斜視図である。
【図５】図4の整髪部を示す分解斜視図である。
【図６】2つの整髪部が代替的にケース部に付着可能であることを示す整髪部の離脱状態の実施例に対する斜視図である。
【図７】本発明の実施例の整髪部に代替的或いはともに使うことができる整髪部の例を示す分解斜視図である。
【図８】本発明の実施例の整髪部に代替的或いはともに使うことができる整髪部の例を示す分解斜視図である。
【図９】本発明の一実施例でヒンジ部に形成されて整髪部とケース部の電気接続をなす回転動作スイッチを示す斜視図である。
【発明を実施するための形態】
【００１７】
以下、図面を参照しながら実施例を通じて本発明をより詳細に説明する。
【００１８】
図1は本発明の一実施例を示す斜視図である。
【００１９】
ここで携帯用折り畳み式アイロンは、持ち手を兼ねるケース部(200)と、該ケース部(200)に挿入されたり、該ケース部から広げて使うことができる整髪部(300)を備える。整髪部(300)がケース部(200)に挿入されたり、ケース部から外れて広げられることは、整髪部(300)のピボット動作を通じて行われる。かかるピボット動作のために、ケース部(200)と整髪部(300)が長手方向に一部重なってヒンジ部(220)によって結合される。また、ヒンジ部(220)は外側から簡単に分解可能であり、整髪部はケース部(200)に着脱可能に結合される。
【００２０】
図2は図1の実施例のケース部を示す分解斜視図である。
【００２１】
幅方向から見る時、ほぼ矩形に中心本体となるケース(203)があり、ケース(203)の幅方向中心は整髪部が挿入されるように空間をなす。従って、ケース(203)は空間を中心に前方側の矩形壁体と後方側の矩形壁体を有する。これら壁体はその周辺部のうち整髪部の進入を妨げない領域にあるリブによって連結されている。また、幅方向にケースの前方と後方にはケースに前方カバー(202)と後方カバー(201)が結合される。前方カバー(202)とケース(203)の前方側の矩形壁体の間、ケース(203)の後方側の矩形壁体と後方カバー(201)の間にも矩形をなすバッテリ(204)が設けられる。
【００２２】
ヒンジ部周辺にはケース(203)と後方カバー(201)の間に回路基板(PCB: 213)、回路基板に連結される接続端子(214、215)と、LDEランプ(211)が設けられ、ヒンジ部にはピン(209)とピン周囲のブラシスプリング(208)、ケース部内に整髪部をロックした状態でまとめておくブラシロック(205)などが設けられている。ケースカバー面にそのボタンが露出する電源スイッチ(210)も形成されている。
【００２３】
図3は図1の実施例の整髪部を示す分解斜視図である。
【００２４】
整髪部はほぼ櫛の形態を有している。従って、全体的に本実施例は折り畳み式の櫛の外観を有する。しかし、整髪部がケース部から外れて180度の角度をなしながら広げられた状態で、櫛の下側部分である櫛歯(3011)は一般の櫛と類似する形態であるか、櫛の上側である櫛背(3012)側は一般の櫛と異なる構造を有する。即ち、櫛背(3012)上には櫛と別にカバー(303)があり、櫛(301)とカバー(303)はケース部と整髪部を連結するヒンジと別個の別途ヒンジ構造によって連結される。この別途ヒンジ構造にもピボット動作のためのサブスプリング(312)が備えられる。
【００２５】
従って、櫛(301)とカバー(カバー:303)は別途ヒンジ構造のヒンジピン(3013)を中心にピボット動作をして互いに接近し、カバー(303)が櫛背(3012)を完全に覆うこともでき、カバー(303)と櫛背(3012)が一定の角度離隔することもできる。櫛(301)の本体には熱板(307)が設けられる。熱板(307)は櫛(301)の本体と側面カバー(302)の間に一部が埋設した状態であり、櫛歯(3011)側には熱板(307)の下の部分が、櫛背辺には熱板(307)の最も上側の平坦面が露出している。櫛歯側に露出した熱板(307)の下の部分はとかす時に毛髪に触れて毛髪を乾かしながら形態を整える役目を行う。熱板(307)の平坦面はヘアーアイロンの熱板として作用し、使用者の毛髪に触れて毛髪を手入れするのに使われる。櫛の本体に埋設された熱板は長手側中心が空いており、該空間にはヒータ(309)が設けられる。ヒータ(309)はケース部のバッテリ(204)から電力の供給を受け、その経路や周辺にはNTC(Negative thermal coefficient:311) などが設けられて温度過熱を調節することができる。
【００２６】
かかる実施例における使用方法を見ると、先ず使用者はブラシロック(205)を押して整髪部(300)がケース部(200)から出て広げられた状態になるようにする。後方カバー(201)上に露出する電源スイッチ(210)ボタンを押すと、バッテリ(204)の電源、回路基板(PCB:213)のコントローラ、接続端子(214、215)、整髪部の接続端子(313、314、315)を通じてそれぞれ電気がNTC(311)、ヒータプレス(310)、ヒータ(309)に流れるようになる。熱板(307)がヒータ(309)によって加熱されると、使用者は所望の整髪方法によって熱板下部が露出した櫛で毛髪をとかしたり、 熱板上部の平坦面をプレート型ヘアーアイロンの熱板のように使うことができる。
【００２７】
平坦面を利用する方法をさらに見ると、整髪部でカバー(303)と櫛(301)を結合させる別途ヒンジと長手方向の反対側には櫛(301)にカバー(303)を密着させた状態でロックすることができるサブロック(308)が設けられる。サブロック(308)を開けて別途ヒンジ周辺のサブスプリング(312)の作用でカバー(303)を櫛から離隔されるようにし、毛髪を熱板(307)の平坦面とカバー(303)の間に置いたまま手に力を込めながらカバー(303)を押し、毛髪が介在した状態でカバーが櫛背に触れるようにする。かかる状態でカバーの長手方向と垂直になるように自然に引っ張ったり回転を与えてストレートや緩いカール加工が可能となる。
【００２８】
本実施例ではカバー(303)内側面には別途の熱板が設けられず、耐熱性ラバープレート(304)が設けられるが、カバー内側にも熱板とヒータを装着して整髪に利用することができる。カバー及び櫛の本体は熱板の温度(ほぼ180℃位)で損傷しないように耐熱性及び断熱性に優れた合成樹脂、例えばテフロン（登録商標）のようなフッ素樹脂が利用される。
【００２９】
かかる形態のアイロンでは熱板とヒータが小さく電力が多く消費されないことで、携帯用アイロンが電力消費を最小化することができ、櫛で毛髪を整えたり、簡便な形態であってもヘアーアイロンとしての使用を通じて臨時的な毛髪の手入れが可能である。
【００３０】
かかる本発明では使用者が携帯する特性上、安全に注意する必要がある。例えば、整髪部をケース部から広げる場合にのみ整髪部の熱板が電源(バッテリ)から電力の供給を受けることができるように、図9のような回転動作スイッチを設けることができる。このために、整髪部とケース部をピボット可能に連結するヒンジ部周辺には、整髪部のヒータなど電気装置とケース部電源に連結された導電接点をそれぞれ整髪部とケースの互いに対向する面に設け、整髪部をケース部から広げる位置でのみケース部の導電接点が整髪部の対応する導電接点に接触してケース部の電源と整髪部の電気装置の間の通電がなされるようにすることができる。
【００３１】
図9に示されたところによれば、ケース部の接続端子(214、215)は回路基板(213)に結合され、回路基板はa方向(幅方向)にケース(203)に結合されてケース(203)中間の空間に向かって露出している。整髪部のヒンジ側で櫛(301)側面のうち側面カバーで覆われない露出した面にはb方向(幅方向)に結合されて整髪部の接続端子(313、314、315)が露出した回路基板(213)に向かうように設けられている。櫛(301)はケース(203)にc方向(長手方向)に結合されてヒンジピンによって固定され、接続端子の位置は整髪部がケース部から外れて180度の角度に広げられる時に、互いに対応する接続端子同士が接するように位置決めされ、ケース部の電源と整髪部の電気装置を電気的に連結させる。
【００３２】
また、ケース部内には別途の電源スイッチ(210)がカバーにそのボタンが露出するように存在し、電源(バッテリ:204)と接続端子(214、215)の間の通電を再度チェッククすることができる。即ち、整髪部をケース部から広げ、ケース部の電源ボタンを押す時にのみ電源からヒータに電力が供給されるようにすることができる。ケース部の電源ボタンが押された状態で整髪部をケース部に折り畳むと、接続端子が互いに下がるとともに、自動で電源スイッチ(210)が開きヒータには電源が二重に断絶されるようにすることができる。
【００３３】
図4は本発明の他の実施例を示す図面であり、図5は図4の整髪部を示す分解斜視図である。
【００３４】
図4の実施例のケース部は図1の実施例のケース部(200)と同一の形態をなし、整髪部の形態のみが異なる。図5の分解斜視図を通じて、該実施例を詳細に見ると、整髪部(400)はほぼ2つの上下に対称な部分(整髪部上、下部ケース: 401、408)を有するプレート型ヘアーアイロンからなる。
【００３５】
これら2つの部分は、これら部分内に設けられたヒンジ部周辺の別途補助スプリング(415)によってヒンジピン(図2の209)中心に一定の中心角範囲でピボット動作可能或いは回転移動可能に構成される。それぞれの部分にはヒンジから離れた方に2/3程度の区間で互いに対向する内側辺に平坦面を有する熱板(403、410)が設けられる。それぞれの熱板の外に露出しない裏面にはヒータ(405、412)が装着され、ヒータが装着された状態で熱板(403、410)はホルダ(404)に結合されて整髪部上部ケース(401)と下部ケース(408)に置かれる。ホルダ(404)とケースの間には弾性物体からなるクッション(407)が設けられ、熱板(403、410)が一定の範囲で位置を少しずつ動かせるように融通性を付与する。
【００３６】
2つの部分でヒンジに近い1/3程度の区間には、熱板の代わりにケースを覆う本体カバー(406、411)があり、内部には接続端子(416、417、418、419、420)とヒータ(405、412)或いはヒータ周辺のヒューズ(413)やPCT(図示しない)に連結するための導線が設けられる。ヒンジ部にはヒンジピン周辺に回転のためのスライディング板(414)があり、整髪部のヒータ、PCT、ヒューズなどとケース部の電源を連結するための接続端子(416、417、418、419、420)が設けられる。
【００３７】
これら2つの部分でヒンジに近いケース部分には、またこれら2つの部分がケース部に入った状態で保管される時には補助スプリング(415)が作用しないようにレッグキャップ(LEGCAP: 402、409)がロック装置の役目をする。
【００３８】
かかる実施例における使用方法を見ると、先ず使用者はブラシロック(205)を押して整髪部(400)がケース部(200)から出て広げられた状態になるようにする。後方カバー上に露出する電源スイッチ(210)ボタンを押すと、バッテリ(204)の電源、PCB(213)のコントローラ、接続端子(214、215)、整髪部の接続端子(416、417、418、419、420)を通じて電気がヒータ(405、412)、ヒューズ(413)などに流れるようになる。整髪部をなすヘアーアイロンの上、下部ケース(401、408)がヒンジピン周辺でピボット動作が可能となるようにした状態で熱板(403、410)が加熱されると、毛髪を上、下部ケース(401、408)の熱板(403、410)間に置いて手に力を込めながら上、下部ケース(401、408)の熱板(403、410)が毛髪が介在した状態で互いに触れるようにする。かかる状態で熱板(403、410)の長手方向と垂直に自然に引っ張るとストレート加工が可能となる。
【００３９】
反対に2つの熱板(403、410)を合わせ、レッグキャップ(409)を触れた状態で上、下部ケース(401、408)をケース部内側に押すとブラシロック(205)がロックされ、保管状態となる。
【００４０】
以上の実施例は1つのケース部に図3や図5のような1つの整髪部が結合された形態を説明したが、図1の説明で言及するように、ケース部と整髪部はこれらを結合するヒンジ部の簡易的解体によって着脱可能となる。そのため、図6の斜視図で示した実施例のように、1つのケース部(200)に2つの整髪部(300、400)を準備し、必要に応じて適合する形態の整髪部を結着して整髪することができる。
【００４１】
一方、1つのケース部に整髪部が複数結合されるように空間を複数用意し、整髪部の必要な部分をケース部から出して使う場合も考えられる。このような場合は、空間を2つ或いはそれ以上用意しなければならないため、商品の幅が大きくなり得るが、整髪部を着脱する不便と分離した状態の整髪部を結合した実施例とともに保管し、所持する不便を解消することができるという長所を有する。このような場合、ヒンジ部の接続端を調節して電源ボタンを押すと、ケース部から出て広げられた整髪部の熱板にのみ電流が流れるようにすることが好ましい。かかる実施例のためには、前述の実施例で言及したように、整髪部をケース部から広げる場合にのみ、ケース部のヒンジ周辺の半円帯形態のスイッチ板に整髪部のスイッチピンが接してケース部の電源と整髪部の間の通電がなされるようにすることができる。
【００４２】
図7及び図8はかかる実施例の整髪部に代替的或いはともに使うことができる整髪部の例を示す分解斜視図である。
【００４３】
図7では図3の整髪部と類似する櫛形状の整髪部が開示される。該櫛形状の整髪部は櫛(501)の本体の櫛背部分側面に熱板(503)を装着するための溝が形成され、溝を覆うためのカバー(502)が形成される。熱板(503)は上部平坦面がなく、熱板(503)の上端が櫛(501)の本体上端に露出せずに内蔵される。溝には櫛形状の熱板(503)が設けられる。熱板は櫛背に対応する板型部分と櫛歯に対応する部分を有する。櫛歯に対応する部分は櫛の櫛歯に比べて櫛歯の長さが短く、とかす時にも熱板(503)が頭皮に直接触れる問題を防止する。櫛背に対応する板型部分には溝がある。該溝にはヒータ(504)が設けられ、ヒータ(504)周辺には NTC(506)が設けられる。NTC(506)の導線部分がヒータ(504)に直接触れず、NTC(506)はヒータ(504)の中間部分に触れるようにするためにコンタクトホールを有する媒介プレート(505)が設けられる。
【００４４】
ヒンジピン(図2の209)が貫通するホールが櫛(501)の本体とカバー(502)に形成されており、ヒンジピン周辺では補助スプリング(507)と接続端子(508、509、510)が設けられる。接続端子(508、509、510)とヒータ(504)、NTC(506)などはヒータ及び NTCに連結された導線(図示しない)によって接続される。
【００４５】
ヒータの熱に耐えるために熱板周辺部は耐熱性プラスチックからなり、熱板の櫛歯対応部分は櫛の櫛歯の間に設けられるようにし、櫛歯の幅よりも小さな幅に形成することが、熱板が外部に露出して手などに直接触れることを防止するために好ましい。
【００４６】
図8でも図3と類似する整髪部が開示される。
【００４７】
但し、ここでは櫛背辺を囲みながら櫛(601)とピボット動作が可能なカバーの代りに櫛背辺を完全に囲むように固定されたカバー(602)が使われる。かかる構成ではカバー(602)を開き、熱板(605)を露出してプレート型ヘアーアイロンのような毛髪の手入れは困難であり、櫛(601)をとかしながら単純に毛髪を乾かしたり、櫛でとかす方向を調節して毛髪を曲げる役目をするようになる。熱板(605)内にはヒータ(603)及びNTC(604)が設けられ、接続端子(607、608、609)が設けられることは、前述の図3の整髪部と類似する。
【００４８】
かかる図7、図8の髪形部は図4に開示された実施例の髪形部と交換されながら、代替的或いはともにケース部に併設されて選択的に使われると、図2の実施例と類似する機能が可能である。
【００４９】
以上で本発明は記載された具体的な実施例に対してのみ詳細に説明したが、本発明の技術思想範囲内で多様な変形及び修正が可能であることは当業者において明白であり、かかる変形及び修正が添付された特許請求の範囲に属することは当然である。
【符号の説明】
【００５０】
200：ケース部
220：ヒンジ部
300：整髪部
303：カバー
【図１】
2011161201.tif 000003
【図２】
2011161201.tif 000004
【図３】
2011161201.tif 000005
【図４】
2011161201.tif 000006
【図５】
2011161201.tif 000007
【図６】
2011161201.tif 000008
【図７】
2011161201.tif 000009
【図８】
2011161201.tif 000010
【図９】
2011161201.tif 000011